(57)【要約】【課題】記憶部が主回路への励磁出力の保存情報を喪失した場合を考慮して、あらかじめ自己修復機能を設けることにより、配電用開閉器の主回路を誤開放する供給支障の防止、誤投入による不必要な系統ループ発生等の障害を防止することができる配電用開閉器制御装置を提供する。【解決手段】開閉器主回路励磁監視手段３-１１５による監視結果と、正副一対の主回路励磁出力状態記憶部３-１２１Ａ，３-１２１Ｂに保存されている保存データとを参照して、主回路励磁監視結果と主回路励磁出力状態とを比較し、不一致の場合に主回路接点２-１への誤制御出力を修復する真理値表に従って正副一対の主回路励磁出力状態記憶部３-１２１Ａ，３-１２１Ｂに保存されているデータを修復し、この修復されたデータを用いて開閉器主回路制御出力手段３-１１１から励磁出力回路３-１３１を経て主回路接点駆動回路２-２を駆動するようにした。【選択図】図１
2011060453.tif 000002
【特許請求の範囲】
【請求項１】
配電用開閉器の主回路接点を駆動するための励磁出力回路および前記主回路接点駆動回路の励磁出力状態を取り込む励磁状態入力回路を有する入出力部と、
前記励磁状態入力回路から取り込んだ信号により前記主回路接点駆動回路の励磁状態を監視する開閉器主回路励磁監視手段と、
この開閉器主回路励磁監視手段の監視結果を記憶する主回路励磁監視結果記憶部と、
前回の制御結果を保存する複数の主回路励磁出力状態記憶部と、
親局装置からの遠隔制御指令を受けて出力する遠隔制御手段と、
自装置が保有する時限投入制御機能により投入制御を要求する時限投入制御手段と、
前記主回路励磁監視結果記憶部に保存されている現在の主回路励磁状態および前記複数の主回路励磁出力状態記憶部に保存されている制御結果の励磁出力内容を参照することにより、状態不一致の場合に自己修復を判断し、修復実行する主回路励磁監視修復手段と、
前記遠隔制御手段、時限投入制御手段および主回路励磁監視修復手段からの主回路への制御要求を受け、前記開閉器主回路を投入または開放するための制御要求を決定し、その制御要求の内容を前記複数の主回路励磁出力状態記憶部に保存し、かつ、制御指示を出力する主回路制御出力判断手段と、
前記主回路制御出力判断手段の制御指示に基づいて起動され、前記複数の主回路励磁出力状態記憶部の内容に従い、前記入出力部の励磁出力回路を制御する開閉器主回路制御出力手段と、からなることを特徴とする配電用開閉器制御装置。
【請求項２】
前記複数の主回路励磁出力状態記憶部を、正副一対の主回路励磁出力状態記憶部で構成したことを特徴とする請求項１記載の配電用開閉器制御装置。
【請求項３】
前記主回路励磁修復実行結果の履歴を保存する主回路励磁修復実行履歴手段を付加したことを特徴する請求項１または２記載の配電用開閉器制御装置。
【請求項４】
主回路励磁修復実行結果を表示部に表示する修復実行表示手段を付加したことを特徴する請求項１ないし３のいずれかに記載の配電用開閉器制御装置。
【請求項５】
主回路励磁修復実行結果を親局装置へ伝送する修復実行結果伝送手段を付加したことを特徴する請求項１ないし４のいずれかに記載の配電用開閉器制御装置。
【請求項６】
前記開閉器主回路励磁監視手段と、前記遠隔制御手段と、前記時限投入制御手段と、前記主回路励磁監視修復手段と、前記主回路制御出力判断手段と、前記開閉器主回路制御出力手段とをコンピュータの演算処理部で実現する代わりに、ロジックＩＣを適用したハードウェアロジックで構成し、前記主回路励磁監視結果記憶部と、正副一対の主回路励磁出力状態記憶部とをコンピュータの記憶部で実現する代わりにＩＣ回路で構成したことを特徴とする請求項１ないし５のいずれかに記載の配電用開閉器制御装置。
【発明の詳細な説明】
【技術分野】
【０００１】
本発明は、配電線を適宜な配電区間に区分する配電用開閉器制御装置に係り、特に、常時励磁式の配電用開閉器制御装置に関する。
【背景技術】
【０００２】
一般に、常時励磁式の配電用開閉器は、開閉器の主回路接点を駆動する補助リレーに対して、主回路接点を「入」とする場合に電圧を印加し、主回路接点を「切」とする場合電圧をカットしている（例えば、特許文献１、２参照）。
【０００３】
図１４はこれら特許文献１、２に開示されている内容と同様の回路構成図を示す。  
図１４において、１は配電線であり、２はこの配電線１を適宜な区間毎に区分する配電用開閉器である。配電用開閉器２は、主回路接点２-１と、この主回路接点２-１を駆動する主回路接点駆動回路２-２と、この主回路接点駆動回路２-２を起動する補助リレー（ＣＣ）２-３とを備えている。そして、３はこの配電用開閉器２の補助リレー（ＣＣ）２-３に開閉制御を行う配電用開閉器制御装置である。
【０００４】
この配電用開閉器制御装置３は、演算処理部３−１１、記憶部３−１２および入出力部３−１３からなるマイクロコンピュータ（マイクロプロセッサ）３−１を備えている。  
演算処理部３−１１は、後述する開閉器主回路制御出力手段３-１１1と、時限投入制御手段３-１１２と、図示しない制御所に設けられたテレコン親局装置からの指令を受け、後述する主回路制御出力判断手段３-１1４に制御指令を出力する遠隔制御手段３-１１３と、これらの制御手段３-１１２、３-１１３からの出力に基づいて主回路接点２-１の「入」／「切」制御を判断する主回路制御出力判断手段３-１1４とから構成されている。
【０００５】
そして、前記開閉器主回路制御出力手段３-１１１は、配電用開閉器２の主回路接点２-１を駆動する主回路接点駆動回路２-２に接続される補助リレー（ＣＣ）２-３に対して、主回路接点２-１を「入」とする場合に電圧を印加し、主回路接点２-１を「切」とする場合に電圧をカットするように制御する。
【０００６】
記憶部３-１２は、前記主回路制御出力判断手段３-１1４からの制御指示を受けて主回路励磁出力状態を記憶する主回路励磁出力状態記憶部３-１２１を備えている。また、入出力部３−１３は、励磁出力回路３-１３１を備えている。
【０００７】
従来の配電用開閉器制御装置３は、このように前記開閉器主回路制御出力手段３-１１１が主回路励磁出力状態記憶部３-１２１の記憶内容を参照することにより、開閉器２の主回路接点駆動回路２-２を起動させる補助リレー（ＣＣ）２-３を駆動するように構成されている。
【先行技術文献】
【特許文献】
【０００８】
【特許文献１】特開平１０−１０８３５６号公報
【特許文献２】特開２００８−７２８５２号公報
【発明の概要】
【発明が解決しようとする課題】
【０００９】
上記のように構成された従来の配電用開閉器制御装置では、記憶部３−１２を構成するメモリ素子の異常（例えば、ＩＣ内のパターン配線断による内部データの反転）等の何らかの障害が発生して主回路励磁出力状態記憶部３−１２１に保存していた情報を喪失した場合、本来保持すべき励磁出力も喪失してしまい、この結果、配電用開閉器２を誤開放または誤投入するといった障害を発生させるおそれがある。
【００１０】
そこで本発明は、記憶部が主回路への励磁出力の保存情報を喪失した場合を考慮して、あらかじめ自己修復機能を設けることにより、配電用開閉器の主回路を誤開放する供給支障の防止、誤投入による不必要な系統ループ発生等の障害を防止することができる配電用開閉器制御装置を提供することを目的とする。
【課題を解決するための手段】
【００１１】
上記の目的を達成するために、本発明の請求項１に係る発明は、配電用開閉器の主回路接点を駆動するための励磁出力回路および前記主回路接点駆動回路の励磁出力状態を取り込む励磁状態入力回路を有する入出力部と、前記励磁状態入力回路から取り込んだ信号により前記主回路接点駆動回路の励磁状態を監視する開閉器主回路励磁監視手段と、この開閉器主回路励磁監視手段の監視結果を記憶する主回路励磁監視結果記憶部と、前回の制御結果を保存する複数の主回路励磁出力状態記憶部と、親局装置からの遠隔制御指令を受けて出力する遠隔制御手段と、自装置が保有する時限投入制御機能により投入制御を要求する時限投入制御手段と、前記主回路励磁監視結果記憶部に保存されている現在の主回路励磁状態および前記複数の主回路励磁出力状態記憶部に保存されている制御結果の励磁出力内容を参照することにより、状態不一致の場合に自己修復を判断し、修復実行する主回路励磁監視修復手段と、前記遠隔制御手段、時限投入制御手段および主回路励磁監視修復手段からの主回路への制御要求を受け、前記開閉器主回路を投入または開放するための制御要求を決定し、その制御要求の内容を前記複数の主回路励磁出力状態記憶部に保存し、かつ、制御指示を出力する主回路制御出力判断手段と、前記主回路制御出力判断手段の制御指示に基づいて起動され、前記複数の主回路励磁出力状態記憶部の内容に従い、前記入出力部の励磁出力回路を制御する開閉器主回路制御出力手段と、からなることを特徴とする。
【発明の効果】
【００１２】
本発明によれば、開閉器主回路励磁監視手段による監視結果と、複数の主回路励磁出力状態記憶部に保存されている保存データとを参照して、主回路励磁監視結果と主回路励磁出力状態とを比較し、不一致の場合に主回路接点への誤制御出力を修復する真理値表に従って複数の主回路励磁出力状態記憶部に保存されているデータを修復し、この修復されたデータを用いて開閉器主回路制御出力手段から励磁出力回路を経て主回路接点駆動回路を駆動するようにしたので、主回路接点投入保持に対しては、配電用開閉器の特徴である開放遅延時限以内に主回路励磁出力を回復することは容易であり、誤開放に伴う供給支障を未然に防止することができる。
【図面の簡単な説明】
【００１３】
【図１】本発明の実施形態１の配電用開閉器制御装置の構成図。
【図２】実施形態１の配電用開閉器制御装置の起動時の処理フロー図。
【図３】実施形態１の開閉器主回路励磁監視手段の処理フロー図。
【図４】実施形態１の開閉器主回路制御出力手段の処理フロー図。
【図５】実施形態１の開閉器主回路励磁監視修復手段の処理フロー図。
【図６】真理値表１、２を示す図。
【図７】実施形態１の主回路制御出力判断手段の処理フロー図。
【図８】本発明の実施形態２の配電用開閉器制御装置の構成図。
【図９】実施形態２の開閉器主回路励磁監視修復手段の処理フロー図。
【図１０】本発明の実施形態３の配電用開閉器制御装置の構成図。
【図１１】実施形態３の開閉器主回路励磁監視修復手段の処理フロー図。
【図１２】本発明の実施形態４の配電用開閉器制御装置の構成図。
【図１３】実施形態４の開閉器主回路励磁監視修復手段の処理フロー図。
【図１４】従来例の配電用開閉器制御装置の構成図。
【発明を実施するための形態】
【００１４】
以下、本発明に係る配電用開閉器制御装置の実施形態について、図面を参照して説明する。なお、各図を通じて同一構成要素には同一符号を付けて説明を適宜省略する。
【００１５】
［実施形態１］
本発明の実施形態１について図１ないし図７を参照して説明する。  
まず、図１から説明する。図１は本実施形態１の配電用開閉器制御装置の構成図であり、符号１、２および３はそれぞれ図１４で示した従来技術と同様に、配電線、配電用開閉器および配電用開閉器制御装置である。
【００１６】
本実施形態１の配電用開閉器制御装置３が演算処理部３−１１、記憶部３−１２および入出力部３−１３を備えたマイクロプロセッサ（マイクロコンピュータ）３−１で構成されている点は従来例と同様であるが、それぞれに新たな手段を付加している点で異なっている。
【００１７】
まず、演算処理部３−１１は、前述した開閉器主回路制御出力手段３-１１１、時限投入制御手段３-１１２および遠隔制御手段３-１１３に加えて、以下述べる要素すなわち、開閉器主回路励磁監視手段３-１１５、主回路励磁監視修復手段３-１１６および主回路制御出力判断手段３-１１７を付加している。
【００１８】
ここで、開閉器主回路励磁監視手段３-１１５は、入出力部３−１３の後述する励磁状態入力回路３-１３２から“１”または“０”の電流状態を取込み、記憶部３-１２内の主回路励磁監視結果記憶領域３-１２２へ保存する機能を備えている。
【００１９】
また、主回路励磁監視修復手段３-１１６は、記憶部３-１２内に設けた後述する正副一対の主回路励磁出力状態記憶領域（正）３-１２１Ａおよび主回路励磁出力状態記憶領域（副）３-１２１Ｂに保存されている制御結果の励磁出力内容と、前記主回路励磁監視結果記憶領域３-１２２に記憶されている現在の主回路励磁状態を監視し、状態不一致の場合に自己修復を判断し、主回路励磁出力状態記憶領域（正）３-１２１Ａおよび主回路励磁出力状態記憶領域（副）３-１２１Ｂの修復処理をする機能を備えている。
【００２０】
さらに、主回路制御出力判断手段３-１１７は、前記遠隔制御手段３-１１３、時限投入制御手段３-１１２および主回路励磁監視修復手段３-１１６から主回路への制御要求（“１”または“０”）を受けて前記開閉器主回路２-１を“投入”または“開放”するための制御要求を決定し、その制御要求の内容を記憶部３-１２の主回路励磁出力状態記憶領域（正）３-１２１Ａおよび主回路励磁出力状態記憶領域（副）３-１２１Ｂに同じ内容で保存し、かつ、開閉器主回路制御出力手段３-１１１に制御指示を出力する機能を備えている。
【００２１】
次に、記憶部３-１２は、従来例の図１４の主回路励磁出力状態記憶部３-１２１に替えて、主回路制御出力判断手段３-１１７から出力された制御要求が“１”の場合“入”、“０”の場合“切”としてメモリ素子に設定する正副一対の主回路励磁出力状態記憶領域（正）３-１２１Ａおよび主回路励磁出力状態記憶領域（副）３-１２１Ｂを設け、さらに、前記開閉器主回路励磁監視手段３-１１５から出力された“１”または“０”の信号をそれぞれ“入”または“切”として設定する主回路励磁監視結果記憶領域３-１２２を設けている。
【００２２】
最後に、入出力部３−２は、演算処理部３-１１の開閉器主回路制御出力手段３-１１１から出力された信号が“１”の場合電圧有、“０”の場合電圧無の情報に変換して主回路接点駆動回路２-２を起動させる補助リレー（ＣＣ）２-３を駆動する励磁出力回路３-１３１と、補助リレー（ＣＣ）２-３に流れる電流の有無を検出して、電流有で“１”、電流無で“０”の信号を前記開閉器主回路励磁監視手段３-１１５に出力する励磁状態入力回路３-１３２とを備えている。
【００２３】
（作用）
以上のように構成された配電用開閉器制御装置１において、演算処理部３-１１の主回路制御出力判断手段３-１１７により開閉器主回路２-１を投入または開放する制御要求が決定され、記憶部３-１２の主回路励磁出力状態記憶領域（正）３-１２１Ａと主回路励磁出力状態記憶領域（副）３-１２１Ｂに制御要求を設定する。
【００２４】
開閉器主回路制御出力手段３-１１１は、主回路励磁出力状態記憶領域（正）３-１２１Ａの設定状態に合わせて、主回路励磁出力補助リレー（ＣＣ）２-３を動作させ、開閉器本体の主回路接点駆動回路２-２を動作させることで開閉器の主回路接点２-１を制御し、制御結果は、開閉器主回路励磁監視手段３-１１５によって励磁実出力の状態を記憶部３-１２の主回路励磁監視結果記憶領域３-１２２に設定し、主回路励磁監視修復手段３-１１６により、主回路励磁出力状態記憶領域（副）３-１２１Ｂと主回路励磁監視結果記憶領域３-１２２、ならびに主回路励磁出力状態記憶領域（正）３-１２１Ａと主回路励磁出力状態記憶領域（副）３-１２１Ｂとを比較監視する。
【００２５】
この比較監視の結果、記憶部３-１２の主回路励磁出力状態記憶領域（正）３-１２１ＡがＩＣ内のパターン配線断による内部データの反転等に基づくメモリ素子の異常で、設定状態を喪失した場合、例えば主回路投入状態であったが、設定状態喪失により開放状態へと設定が変化したものと開閉器主回路制御出力手段３-１１１が判断すると主回路励磁出力保持リレー（ＣＣ）２-３に対して励磁出力を止め、開放制御を実行することになる。
【００２６】
以下、処理フロー図を参照して、上述した各手段の作用（機能）について具体的に説明する。  
図２は、配電用開閉器制御装置の起動時の処理フロー図である。  
まず、ステップＳ２１で図１の配電用開閉器制御装置３内を初期化し、次のステップＳ２２で開閉器主回路励磁監視手段３-１１５を起動する。続いてステップＳ２３で主回路励磁監視修復手段３-１１６を起動する。以下のステップは図示しないが、同様にして演算処理部３-１１内の他の手段を順次起動する。
【００２７】
図３は、開閉器主回路励磁監視手段３-１１５の処理フロー図である。  
ステップＳ３１で励磁状態入力回路３-１３２から現在の励磁状態を取込み、記憶部３-１２の主回路励磁監視結果記憶部３-１２２へ保存する。保存内容は、次の通りである。
＊主回路状態；切（「０」）の場合、主回路励磁監視結果を「０」として保存する。
＊主回路状態；入（「１」）の場合、主回路励磁監視結果を「１」として保存する。
【００２８】
図４は、開閉器主回路制御出力手段３-１１１の処理フロー図である。  
ステップＳ４１で記憶部３-１２の主回路励磁出力状態記憶領域（正）３-１２１Ａから保存内容を読出し、以下のように励磁出力回路３-１３１へ制御内容を出力して、主回路接点駆動回路２-２を起動させる補助リレー（ＣＣ）２-３を駆動する。  
＊主回路励磁出力状態（正）の保存内容が「０」の場合、制御内容「切」を出力する。
＊主回路励磁出力状態（正）の保存内容が「１」の場合、制御内容「入」を出力する。
【００２９】
図５は、主回路励磁監視修復手段３-１１６の処理フロー図であり、図６は図５中で使用する真理値表１および真理値表２を表す図である。  
まず、ステップＳ５１で主回路励磁監視修復手段３-１１６は、記憶部３-１２の主回路励磁監視結果記憶領域３-１２２から保存内容を読出す。読出す保存内容は次のいずれかである。
＊主回路励磁監視結果「０」、
＊主回路励磁監視結果「１」
【００３０】
次に、ステップＳ５２で、読出した保存内容が主回路励磁監視結果「０」（切）か、否かを判定する。この判定の結果、保存内容が「０」（切）である場合（Ｙｅｓ）、ステップＳ５３で記憶部３-１２の主回路励磁出力状態記憶領域（正）３-１２１Ａおよび主回路励磁出力状態記憶領域（副）３-１２１Ｂから保存内容を読出し、図６の真理値表１に従って、主回路励磁出力の修復を行う。
【００３１】
真理値表１は、主回路励磁出力状態記憶領域（正）３-１２１Ａの「０」（切）および「１」（入）の保存内容と、主回路励磁出力状態記憶領域（副）３-１２１Ｂの「０」（切）および「１」（入）の保存内容との４通りの組み合わせを纏めたもので、（正）および（副）がともに「０」（切）の場合は、処理を行わず、（正）および（副）がともに「１」（入）の場合は、主回路「入」制御を実施する。
【００３２】
一方、（正）が「１」（入）、（副）が「０」（切）の場合、（副）から（正）に保存内容を複写し、逆の場合、すなわち（正）が「０」（切）で（副）が「１」（入）の場合、（正）から（副）に保存内容を複写する。
【００３３】
前記ステップＳ５２の判定の結果、保存内容が「０」（切）でない場合（Ｎｏ）、ステップＳ５４で記憶部３-１２の主回路励磁出力状態記憶領域（正）３-１２１Ａおよび主回路励磁出力状態記憶領域（副）３-１２１Ｂから保存内容を読出し、図６の真理値表２に従い、主回路励磁出力の修復を行う。
【００３４】
真理値表２は、真理値表１と同様に、主回路励磁出力状態記憶領域（正）３-１２１Ａの「０」（切）および「１」（入）の保存内容と、主回路励磁出力状態記憶領域（副）３-１２１Ｂの「０」（切）および「１」（入）の保存内容との４通りの組み合わせを纏めたもので、（正）および（副）がともに「０」（切）の場合は、主回路「切」制御を実施し、（正）および（副）がともに「１」（入）の場合は、処理を行わない。
【００３５】
一方、（正）が「１」（入）で（副）が「０」（切）の場合、（正）から（副）に保存内容を複写し、逆の場合、すなわち（正）が「０」（切）で（副）が「１」（入）の場合、（副）から（正）に保存内容を複写する。
【００３６】
次に、ステップＳ５５で、主回路修復の実制御が必要か否かの判定を行い、実制御が必要と判定された場合（Ｙｅｓ）は、ステップＳ５６で次のような制御要求を設定する。  
＊主回路を切制御する場合は、制御要求を“０”とする。  
＊主回路を入制御する場合は、制御要求を“１”とする。
【００３７】
次に、ステップＳ５７で主回路制御出力判断手段３-１１７を起動する。  
主回路励磁監視修復手段３-１１６は、以上述べたステップＳ５１からＳ５７までの処理を短い周期で繰り返し行い、開閉器主回路が動作する時限以内（開放遅延時限以内）で修復制御を実行する。
【００３８】
図７は主回路制御出力判断手段３-１１７の処理フロー図である。  
ステップＳ７１で開閉器の主回路２-１へ制御要求する各手段からの制御要求内容に従い、記憶部３-１２の主回路励磁出力状態記憶領域（正）３-１２１Ａと主回路励磁出力状態記憶領域（副）-１２１Ｂへ制御要求内容を保存する。  
＊制御要求内容が「切」の場合、主回路励磁出力状態記憶領域（正）３-１２１Ａに「０」を、かつ、主回路励磁出力状態記憶領域（副）３-１２１Ｂに「０」を保存する。
＊制御要求内容が「入」の場合、主回路励磁出力状態記憶領域（正）３-１２１Ａに「１」を、かつ、主回路励磁出力状態記憶領域（副）３-１２１Ｂに「１」を保存する。
【００３９】
次に、ステップＳ７２で開閉器主回路制御出力手段３-１１１を起動して終了する。  
（効果）
以上述べたように、本実施形態１によれば、開閉器主回路励磁監視手段により主回路励磁監視結果記憶領域３-１２２に保存されている監視結果と、正副一対の主回路励磁出力状態記憶領域（正）３-１２１Ａおよび（副）３-１２１Ｂに保存されている保存データとを参照して、主回路励磁出力状態と主回路励磁監視結果を比較し、不一致の場合に主回路接点への誤制御出力を修復する真理値表に従って正副一対の主回路励磁出力状態記憶領域３-１２１Ａおよび３-１２１Ｂに保存されているデータを修復し、この修復されたデータを用いて開閉器主回路制御出力手段３-１１１から励磁出力回路３-１３１を経て主回路接点駆動回路２-２を駆動するようにしたので、主回路接点投入保持に対しては、配電用開閉器２の特徴である開放遅延時限以内に主回路励磁出力を回復することは容易であり、誤開放に伴う供給支障を未然に防止することができる。
【００４０】
ここで、開放遅延時間とは、開閉器２の主回路接点２-１を「切」とした制御を受けてから、実接点ＯＦＦとするまで、開閉器２内のコンデンサ等により接点を保持する時限を指す。配電線１の上位系統による瞬時停電（２秒程度）により、開閉器接点２-１が開放しないようにする接点保持のための維持時間であり、Ｚ１時限とも呼ばれている。
【００４１】
［実施形態２］
次に、本発明の実施形態２について図８および図９を参照して説明する。  
図８において、本実施形態２は、実施形態１の記憶部３-１２に対して修復時刻や修復方向等の修復実行履歴を記憶する主回路励磁修復実行履歴記憶領域３-１２３を新たに設けたことを特徴とするものであり、その他の構成は図１と同じである。
【００４２】
図９は、本実施形態２による主回路励磁監視修復手段３-１１６の処理フロー図である。
本実施形態２の処理フロー図（図９）が、実施形態１の主回路励磁監視修復手段３-１１６の処理フロー図（図５）と相違する点は、図５のステップＳ５７のあとに、新たにステップＳ９１を追加した点にある。
【００４３】
本実施形態２の主回路励磁監視修復手段３-１１６は、ステップＳ５７で主回路制御出力判断手段３-１１７を起動したあと、ステップＳ９１において、主回路制御出力判断手段３-１１７の起動時刻と修復内容とを記憶部３-１２の主回路励磁修復実行履歴記憶領域３-１２３に修復実行履歴として保存する。
【００４４】
本実施形態２は、以上のように構成したので、実施形態１の奏する効果に加えて、主回路励磁監視修復手段３-１１６による主回路励磁修復の実行結果を記憶部３-１２の主回路励磁修復履歴記憶領域３-１２３に保存し、のちの調査等に活用することができるという効果を奏することができる。
【００４５】
［実施形態３］  
次に、本発明の実施形態３について図１０および図１１を参照して説明する。  
図１０において、本実施形態３は、実施形態１の演算処理部３-１１に対して主回路励磁監視修復手段３-１１６による主回路励磁修復の実行結果を表示するための修復実行結果表示手段３-１１８を設けるとともに、この修復実行結果表示手段３-１１８の出力を受けて表示するＬＥＤ素子やマグサイン（美和電気株式会社の登録商標）等で構成された表示部３-２を設けたことを特徴とするものであり、その他の構成は図１と同じである。
【００４６】
図１１は、本実施形態３による主回路励磁監視修復手段３-１１６の処理フロー図である。  
本実施形態３の処理フロー図（図１１）が、実施形態１の主回路励磁監視修復手段３-１１６の処理フロー図（図５）と相違する点は、ステップＳ５７で主回路制御出力判断手段３-１１７を起動したあと、ステップＳ１１１で主回路制御出力判断手段３-１１７の実行結果を修復実行結果表示部３-２へ表示出力するようにした点にある
本実施形態３によれば、実施形態１に示した主回路励磁監視修復手段３-１１６による主回路励磁の修復実行結果を、修復実行結果表示手段３-１１８を介して表示部３-２へ表示出力を行うようにしたので、実施形態１の奏する効果に加えて、主回路励磁修復が実行されたことが現場の配電用開閉器制御装置３の目視によって確認することができるという効果を奏することができる。
【００４７】
［実施形態４］
次に、本発明の実施形態４について図１２および図１３を参照して説明する。  
図１２において、本実施形態４は実施形態３の一部を変更したものであり、本実施形態４が実施形態３と異なる点は、主回路励磁監視修復手段３-１１６による主回路励磁の修復実行結果を表示するための修復実行結果表示手段３-１１８に替えて、主回路励磁の修復実行結果をテレコン親局装置へ伝送するための修復実行結果伝送手段３-１１９を新たに設けたことを特徴とするものであり、その他の構成は図１０と同じである。
【００４８】
図１３は、本実施形態４による主回路励磁監視修復手段３-１１６の処理フロー図である。  
本実施形態４の処理フロー図（図１３）が、実施形態３の主回路励磁監視修復手段３-１１６の処理フロー図（図１１）と相違する点は、ステップＳ５７で主回路制御出力判断手段３-１１７を起動したあと、ステップＳ１１１に替えてステップＳ１３１で主回路制御出力判断手段３-１１７の実行結果を修復実行結果伝送手段３-１１９へ伝送するようにした点である。
【００４９】
本実施形態４によれば、主回路励磁監視修復手段３-１１６による主回路励磁の修復実行結果を修復実行結果伝送手段３-１１９を介して配電自動化システムの図示しない親局装置へ伝送出力行うようにしたので、実施形態１の奏する効果に加えて、主回路励磁修復が実行されたことを通知するという効果を奏することができる。
【００５０】
［変形例］
（ｉ）以上述べた配電用開閉器制御装置は、主回路励磁監視結果記憶領域３-１２２と、正副一対の主回路励磁出力状態記憶領域３-１２１Ａ、３-１２１Ｂと、主回路励磁修復実行履歴記憶領域３-１２３とを一つの記憶部３-１２に設けるようにしたが、これらの記憶領域をそれぞれ独立した個々の記憶部に設けるように変更してもよい。
【００５１】
（ii）以上述べた実施形態３と実施形態４とを組み合わせることによって、主回路励磁監視修復手段３-１１６による主回路励磁の修復実行結果を、現場の配電用開閉器制御装置３に設けた表示部３-２で確認できるようにするとともに、修復実行結果伝送手段３-１１９を介して、親局装置へ伝送し、制御所側で確認できるように構成してもよい。
【００５２】
（iii）以上述べた配電用開閉器制御装置は、マイクロコンピュータを応用したものであるが、演算部３−１１をロジックＩＣで実現し、記憶部３-１２をフリップフロップ回路等のＩＣ回路で実現するようにしてもよい。
【符号の説明】
【００５３】
１…配電線、２…配電用開閉器、２-１…主回路接点、２-２…主回路接点駆動回路、２-３…主回路励磁出力補助リレー（ＣＣ）３…配電用開閉器制御装置、３-１…マイクロプロセッサ３-１１…演算処理部、３−１２…記憶部、３−１３…入出力部、３-１１１…開閉器主回路制御出力手段、３-１１２…時限投入制御手段、３-１１３…遠隔制御手段、３-１１４…主回路制御出力判断手段、３-１１５…開閉器主回路励磁監視手段、３-１１６…主回路励磁監視修復手段、３-１１７…主回路制御出力判断手段、３-１１８…主回路励磁修復実行結果表示部、３-１１９…主回路励磁修復実行結果伝送手段、３-１２…記憶部、３-１２１Ａ…主回路励磁出力状態記憶領域（正）、３-１２１Ｂ…主回路励磁出力状態記憶領域（副）、３-１２２…主回路励磁監視結果記憶領域、３-１２３…主回路励磁修復実行履歴記憶領域、３-１３…入出力部、３-１３１…励磁出力回路、３-１３２…励磁状態入力回路、３-２…表示部。
【図１】
2011060453.tif 000003
【図２】
2011060453.tif 000004
【図３】
2011060453.tif 000005
【図４】
2011060453.tif 000006
【図５】
2011060453.tif 000007
【図６】
2011060453.tif 000008
【図７】
2011060453.tif 000009
【図８】
2011060453.tif 000010
【図９】
2011060453.tif 000011
【図１０】
2011060453.tif 000012
【図１１】
2011060453.tif 000013
【図１２】
2011060453.tif 000014
【図１３】
2011060453.tif 000015
【図１４】
2011060453.tif 000016